(57)【要約】【課題】処方に応じて指定された累進帯長と近用部のインセット量の数値を視覚的に知り得る累進屈折力眼鏡レンズのレイアウトマークを提供する。【解決手段】遠用部の度数測定位置を示した遠用部測定領域マーク７と、近用部の度数測定位置と近用部のインセット量と累進帯長とを示した近用部測定領域マーク９とを含むレイアウトマークであり、このレイアウトマークは、遠用部測定領域マーク７、プリズム測定点を示すドット２、レンズの水平方向を示す水平基準線３、近用部測定領域マークの水平位置の照準となり且つ水平基準線に平行３に等間隔に配置された水平目盛マーク６１、近用部測定領域マークの垂直位置の照準となり且つ水平基準線に垂直に等間隔に配置された垂直目盛マーク６２よりなる複合基準マークと、この複合基準マークに対して水平位置と垂直位置が読み取り可能なマークが付された近用部測定領域マーク７と、による複合図形マークとして構成されている。【選択図】 図１
2005338590.tif 000002
【特許請求の範囲】
【請求項１】
累進屈折力眼鏡レンズのレンズ表面に施されるレイアウトマークであって、
遠用部の度数測定位置を示した遠用部測定領域マークと、
任意の近用部のインセット量および累進帯長により決定された近用部の度数測定位置と
近用部のインセット量と累進帯長とを示した近用部測定領域マークと、
を含むことを特徴とする累進屈折力眼鏡レンズのレイアウトマーク。
【請求項２】
請求項１に記載のレイアウトマークであって、
少なくとも、前記遠用部測定領域マーク、プリズム測定点を示すドット、レンズの水平方向を示す水平基準線、前記近用部測定領域マークの水平位置の照準となり且つ前記水平基準線に平行に等間隔に配置された水平目盛マーク、前記近用部測定領域マークの垂直位置の照準となり且つ前記水平基準線に垂直に等間隔に配置された垂直目盛マークを含むと共に、前記遠用部測定領域マーク、ドット、水平基準線、水平目盛マークおよび垂直目盛マークを予め任意の配置関係に設定した複合基準マークと、
この複合基準マークに対して水平位置と垂直位置が読み取り可能なマークが付されている前記近用部測定領域マークと、
により構成された複合図形マークであることを特徴とする累進屈折力眼鏡レンズのレイアウトマーク。
【請求項３】
請求項２に記載のレイアウトマークであって、
前記水平目盛マークは、前記近用部測定領域マークの近用部のインセット量を示す照準であることを特徴とする累進屈折力眼鏡レンズのレイアウトマーク。
【請求項４】
請求項２に記載のレイアウトマークであって、
前記垂直目盛マークは、前記近用部測定領域マークの累進帯長を示す照準であることを特徴とする累進屈折力眼鏡レンズのレイアウトマーク。
【請求項５】
請求項２〜４のいずれかに記載のレイアウトマークであって、
前記複合基準マークに対して前記近用部測定領域マークを配置したときに、この近用部測定領域マークより近用部のインセット量と累進帯長が読み取り可能な複合図形マークであることを特徴とする累進屈折力眼鏡レンズのレイアウトマーク。
【請求項６】
請求項２〜５のいずれかに記載のレイアウトマークであって、
前記水平目盛マークおよび／または垂直目盛マークの位置は、前記近用部測定領域マークと重ならない任意の位置であることを特徴とする累進屈折力眼鏡レンズのレイアウトマーク。
【請求項７】
請求項１〜６のいずれかに記載のレイアウトマークを施したことを特徴とする眼鏡レンズ。
【発明の詳細な説明】
【技術分野】
【０００１】
本発明は、累進屈折力眼鏡レンズのレイアウトマークおよびその眼鏡レンズに関する。
【背景技術】
【０００２】
一般的に累進屈折力眼鏡レンズは、レンズ製造側で製造工程の後に、レイアウトマーク工程が設けられ、レンズに光学的レイアウトを示すマーキングが行なわれる。これは、通常は消去可能なペイントでレンズの凸面にレンズメータによる遠用度数測定位置や近用度数測定位置を明示したり、フレームへの枠入れ加工のための種々の基準指標を明示したりするものとして実施される。
【０００３】
従って、表示方法はＪＩＳで定められた遠用度数測定位置や近用度数測定位置の所定の項目以外はレンズ製造側や累進屈折力眼鏡レンズのタイプによっても異なり、種々の標記方法が実施されている。特に近年、累進屈折力眼鏡レンズは、眼生理学的機能を加味した種々の設計思想のもとに多様な種類のレンズが出現してきており、その光学設計の多様性に対しても対応できるようなレイアウトマークの提案もなされてきている。
【０００４】
累進屈折力眼鏡レンズでは、遠用部の度数や加入度数が異なると、それらの度数の違いによって、近用部のインセット量（内寄せ量）を変化させる仕様のレンズがある。そのようなレンズに対しては近用度数測定位置もそれに伴って変るので、近用度数測定領域に合わせた円形マークを用いた場合には、個々のレンズ毎にそのマーキング位置を変える必要が生じ、繁雑である。これを長円または楕円にすることによって、大略の領域位置を示しながらその位置変化を吸収できるようにし、マークの共通化を可能にしている。
【０００５】
図６は従来の累進屈折力眼鏡レンズのレイアウトマークの例を示す図である。このレイアウトマークは、左右識別マーク（ＲまたはＬ）４と、枠入れの際の基準となるフィッティングポイントを示す十字線２２と、アライメント基準マーク２３と、遠用部の度数を測定する場所を示す円形の遠用部測定基準エリアマーク７と、近用部測定基準エリアマーク９と、この近用部測定基準エリアマーク９の外側に左右方向に一定間隔をおいて付した位置指標１０と、により構成されている。なお、上記近用部測定エリアマーク９は、近用部のインセット量が遠用部の度数や加入度数によって変化する累進屈折力レンズにおいて、加入度数の測定のための近用部側の度数を測定する場所を示すものであり、レンズの装用状態で左右方向に長い長円形状または楕円形状をなしたものである。
【０００６】
このレイアウトマークは、レンズメータによって度数を測定する場所を表示する近用部測定基準エリアマークを、レンズの装用状態で左右方向に長い長円形状または楕円形状に描き、且つ、該長円形状または楕円形状の近用部測定基準エリアマークの外側に、左右方向に一定間隔をおいて位置指標を描くことにより、近用部のインセット量が異なる累進屈折力レンズであっても、その近用部測定基準エリアの度数を正しく測定することができるようにしたものである（例えば、特許文献１参照）。
【特許文献１】特開２００３−１３１１７５号公報
【発明の開示】
【発明が解決しようとする課題】
【０００７】
しかしながら、上記特許文献１に記載のレイアウトマークを用いても、近年における多様な要請に十分に応えることは困難であることが分かってきた。すなわち、このレイアウトマークは、近用部のインセット量の異なるレンズであっても共通のレイアウトパターンで対応させてしまうものであり、近用部測定基準エリアマーク９の機能を確保するためには、この累進屈折力眼鏡レンズに関する近用部のインセット量の数値情報を別に知らせる必要があり、この近用部のインセット量の数値が未知の場合にはレンズメータによる度数を測定する場所が特定できない。また、このレイアウトマークより直接近用部のインセット量の数値を認知することはできない。さらに、このレイアウトマークより直接累進帯長の数値を認知することもできない。
【０００８】
本発明は、かかる課題を解決するものであって、処方に応じて指定された累進帯長と近用部のインセット量の数値を視覚的に知り得る累進屈折力眼鏡レンズのレイアウトマークと、このレイアウトマークを施した眼鏡レンズを提供することを目的とする。
【課題を解決するための手段】
【０００９】
請求項１の発明に係る累進屈折力眼鏡レンズのレイアウトマークは、累進屈折力眼鏡レンズのレンズ表面に施されるレイアウトマークであって、遠用部の度数測定位置を示した遠用部測定領域マークと、任意の近用部のインセット量および累進帯長により決定された近用部の度数測定位置と近用部のインセット量と累進帯長とを示した近用部測定領域マークと、を含むことを特徴とする。
【００１０】
請求項２の発明に係る累進屈折力眼鏡レンズのレイアウトマークは、請求項１において、少なくとも、前記遠用部測定領域マーク、プリズム測定点を示すドット、レンズの水平方向を示す水平基準線、前記近用部測定領域マークの水平位置の照準となり且つ前記水平基準線に平行に等間隔に配置された水平目盛マーク、前記近用部測定領域マークの垂直位置の照準となり且つ前記水平基準線に垂直に等間隔に配置された垂直目盛マークを含むと共に、前記遠用部測定領域マーク、ドット、水平基準線、水平目盛マークおよび垂直目盛マークを予め任意の配置関係に設定した複合基準マークと、この複合基準マークに対して水平位置と垂直位置が読み取り可能なマークが付されている前記近用部測定領域マークと、により構成された複合図形マークであることを特徴とする。
【００１１】
請求項３の発明に係る累進屈折力眼鏡レンズのレイアウトマークは、請求項２において、前記水平目盛マークは、前記近用部測定領域マークの近用部のインセット量を示す照準であることを特徴とする。
【００１２】
請求項４の発明に係る累進屈折力眼鏡レンズのレイアウトマークは、請求項２において、前記垂直目盛マークは、前記近用部測定領域マークの累進帯長を示す照準であることを特徴とする。
【００１３】
請求項５の発明に係る累進屈折力眼鏡レンズのレイアウトマークは、請求項２〜４のいずれかにおいて、前記複合基準マークに対して前記近用部測定領域マークを配置したときに、この近用部測定領域マークより近用部のインセット量と累進帯長が読み取り可能な複合図形マークであることを特徴とする。
【００１４】
請求項６の発明に係る累進屈折力眼鏡レンズのレイアウトマークは、請求項２〜５のいずれかにおいて、前記水平目盛マークおよび／または垂直目盛マークの位置は、前記近用部測定領域マークと重ならない任意の位置であることを特徴とする。
【００１５】
請求項７の発明に係る眼鏡レンズは、請求項１〜６のいずれかに記載のレイアウトマークを施したものであることを特徴とする。
【発明の効果】
【００１６】
本発明のレイアウトマークは、固定部である複合基準マークと可変部である近用部測定領域マークとの２つの領域よりなる複合図形マークとして構成してあるので、処方に応じて累進帯長と近用部のインセット量が決定された累進屈折力レンズに施すレイアウトマークに対応できる。また、直接レイアウトマークより遠用度数と近用度数のそれぞれの測定位置が視覚的に特定でき、累進帯長と近用部のインセット量の数値を視覚的に即座に読み取れる。これにより製造側においては、レンズ製造工程でのレンズ違い等のミスを防止できて、レンズ確認が迅速に行える。また、顧客側（眼鏡店）においては、注文レンズであることの確認が視覚的にできると共に、度数測定位置を容易に知ることができる。本効果は製造側、顧客側（眼鏡店）において共有できるメリットである。
【発明を実施するための最良の形態】
【００１７】
図１〜図５は、本発明の実施の形態にかかる累進屈折力眼鏡レンズのレイアウトマークの説明図である。以下、これらの図面を参照にしながら実施の形態にかかる累進屈折力眼鏡レンズのレイアウトマークについて説明する。
【００１８】
図１に示されるレイアウトマークは、右眼用（Ｒ）の累進屈折力眼鏡レンズ１の凸面表面に光学的レイアウトを示すためのレイアウトマークをペイントマーキングしたものである。レイアウトマークに使用するペイントインクは消去可能なもので、その色は特に限定するものではないが白色または黄色が好ましい。この累進屈折力眼鏡レンズ１の遠用度数、近用度数、加入度数、外径およびレンズ屈折率は任意の数値であるが、近用部のインセット量は３ｍｍ、累進帯長は１４ｍｍである。この近用部のインセット量は、遠用部測定領域マーク７のドット（遠用アイポイント位置）７３から水平基準線マーク９１までの水平距離である。また、この累進帯長は、遠用部測定領域マーク７のドット（遠用アイポイント位置）７３から垂直基準線マーク９２までの垂直距離である。
【００１９】
次に、レイアウトマークの各部分について説明する。
ドット２は、累進屈折力眼鏡レンズ１のレンズ設計上の基準点であるプリズム測定点を示しており、略レンズの幾何学的中心を示している。また、そのドット２の左右には、幾何学的水平位置を示す水平基準線３が破線で設けられている。この水平基準線３の線上に左右の隠しマーク３１が存在する。そして、上下には一箇所ずつ遠用部６と近用部８に幾何学的垂直位置を示す２ｍｍ程度の垂直基準線マーク４ａ、４ｂが実線で、それぞれ表記してある。さらに、左方の水平基準線３の上方には、「Ｒ」の指標４があり、これは右眼レンズであることを標記している。また、この「Ｒ」の指標４の下方には、「ＨＯＹＡＬＡＵＸ  ｉＤ」の文字標記５が表記してあり、これはレンズメーカーの商品名となっている。即ち、レンズの左右とレンズ商品名を表記することによって、受注レンズを確認できるようになっている。
【００２０】
遠用部６には、前記一方の垂直基準線マーク４ａとドット２との間に、Ω字形状に近似した遠用部測定領域マーク７が表示してある。この遠用部測定領域マーク７は、破線からなる遠用アイポイントの高さ位置を示す遠用アイポイント高さ位置マーク７１ａ、７１ｂと、遠用アイポイント位置を示すドット７３と、破線からなる円形の一部で描かれている円弧形状の遠用部円弧状マーク７２とから構成されている。遠用部円弧状マーク７２によって囲まれる領域が遠用度数測定場所又は位置を示す。また、遠用アイポイント位置を示すドット７３の左右両側の遠用アイポイント高さ位置マーク７１ａ、７１ｂは同一ライン上にある。遠用アイポイント位置７３は、レンズの枠入れの際、装用者の瞳孔と一致させて一つの光学系を作り出す眼鏡の最も重要な光学指標である。本実施の形態では、遠用部円弧状マーク７２は、直径８ｍｍの円形の一部で構成されている。また、遠用アイポイント位置を示すドット７３の高さ位置は、ドット２から４ｍｍ上方に位置するように配置されている。この高さ位置を示す数値は、レンズの設計レイアウトによって任意決定するものである。
【００２１】
近用部８には、水平目盛マーク６１と垂直目盛マーク６２と近用部測定領域マーク９が記されている。水平目盛マーク６１は、水平基準線３に平行であり、左右方向に一定間隔をおいて配置された近用部のインセット量の位置照準である。垂直目盛マーク６２は、水平基準線３に垂直であり、上下方向に一定間隔をおいて配置された累進帯長の位置照準である。
【００２２】
図４にその詳細を示す。水平目盛マーク６１の６１ａから６１ｇまでの目盛は1ｍｍピッチで配列しており、右眼用（Ｒ）レンズの場合、６１ａが近用部のインセット量０ｍｍで、左側より順番に６１ｂが１ｍｍ、６１ｃが２ｍｍ、６１ｄが３ｍｍ、６１ｅが４ｍｍ、６１ｆが５ｍｍ、６１ｇが６ｍｍを表す。左眼用（Ｌ）レンズの場合は逆であり、６１ｇがインセット量０ｍｍで、右側より順番に６１ｆが１ｍｍ、６１ｅが２ｍｍ、６１ｄが３ｍｍ、６１ｃが４ｍｍ、６１ｂが５ｍｍ、６１ａが６ｍｍを表す。右眼用（Ｒ）レンズまたは左眼用（Ｌ）レンズのいずれにおいても、目盛からの数値の読み取りを容易にするために３ｍｍの６１ｄを、他よりも長い目盛で示している。垂直目盛マーク６２の６２ａから６２ｇまでの目盛は１ｍｍピッチで配列しており、６２ａが累進帯長１０ｍｍで、上側より順番に６２ｂが１１ｍｍ、６２ｃが１２ｍｍ、６２ｄが１３ｍｍ、６２ｅが１４ｍｍ、６２ｆが１５ｍｍ、６２ｇが１６ｍｍを表す。これも目盛から数値の読み取りを容易にするために１４ｍｍの６２ｅを他よりも長い目盛で示している。垂直目盛マーク６２を配置する位置は特に限定するものではないが、文字標記５との配置を考慮して、右眼用（Ｒ）レンズの場合は図１のように水平目盛マーク６１の右側に、左眼用（Ｌ）レンズの場合は図５のように水平目盛マーク６１の左側に配置することが好ましい。
【００２３】
図２は、複合基準マークを示した図である。
この複合基準マークは、遠用部測定領域マーク７と、ドット２と、水平基準線３と、水平目盛マーク６１および垂直目盛マーク６２とより構成されている。遠用部測定領域マーク７とドット２の距離は、予めレンズの設計段階で任意の配置関係に設定されるものである。
【００２４】
本実施の形態での複合基準マークの各マークの配置は、次のようになっている。遠用部測定領域マーク７とドット２の距離は４ｍｍである。垂直基準線マーク４ａ・４ｂとドット７３とドット２は、同一鉛直線上にある。右眼用（Ｒ）レンズの場合、それらと水平目盛マーク６１の６１ａが同一鉛直線上にある。左眼用（Ｌ）レンズの場合、それらと水平目盛マーク６１の６１ｇが同一鉛直線上にある。また、ドット２と水平基準線３は、同一水平線上にある。この複合基準マークは、眼鏡レンズの隠しマーク３１を基準にしてペイントされる固定部である。
【００２５】
次に、近用部測定領域マーク９について図３を用いながら説明する。
近用部測定領域マーク９は、遠用部測定領域マーク７と等しい直径８ｍｍの円形状で、垂直基準線マーク４ｂと、プリズム測定点位置であるドット２との間に記されている（図１参照）。近用部測定領域マーク９は、近用度数の測定位置を示す円形マーク９０と、近用部のインセット量を示す水平基準線マーク９１と、累進帯長を示す垂直基準線マーク９２より構成されている。ここで、円形マーク９０の中心が近用測定領域の中心である。
【００２６】
水平基準線マーク９１は、水平目盛マーク６１の下方に記されて近用部のインセット量の値を示す。垂直基準線マーク９２は、垂直目盛マーク６２の近傍の左右いずれかに記されて累進帯長の値を示す。水平基準線マーク９１と垂直基準線マーク９２の各マークの延長線の交点が近用アイポイントＩｋを示す。本実施の形態での近用部測定領域マーク９の配置は、垂直基準線マーク９２の延長線上に円形マーク９０の中心点があり、近用部のインセット量と近用測定位置の水平位置は一致している。累進帯長が１４ｍｍの場合、近用アイポイントＩｋは、円形マーク９０の円周上にある（図３（a）参照）。累進帯長が１１ｍｍの場合、近用アイポイントＩｋは、円形マーク９０の円周よりも１ｍｍ内側にある（図３（ｂ）参照）。このように、近用部のインセット量と累進帯長と近用測定位置は、それぞれ独立して与えられるので、その数値や位置に対応してマークを付すればよい。この近用部測定領域マーク９は、遠用アイポイントＩｅであるドット７３を基準点として、与えられる近用部のインセット量および累進帯長の数値によって相対位置が決定されてペイントされる。
【００２７】
図５は、本実施の形態における左眼（Ｌ）用のレイアウトマークを示した図である。
このレイアウトマークの近用部のインセット量と累進帯長の数値は、近用部測定領域マーク９と水平目盛マーク６１と垂直目盛マーク６２の位置関係より、近用部のインセット量が２ｍｍ、累進帯長が１１ｍｍであることが読み取れる。
【００２８】
次に、上記実施の形態にかかるレイアウトマークを利用して累進屈折力眼鏡レンズをチェックする方法について説明する。
まず、レンズ製造工場から、眼鏡店からの受注条件に基づき、砂かけ、研磨など、表面処理等の工程を経て、凹面、凸面が最終加工された状態で、レンズ袋に受注のレンズ度数と近用部のインセット量と累進帯長が明記されて円形のオーダーレンズが送付される。その出荷の際、レンズの凸面側には、図１あるいは図５に示されるレイアウトマークが白い消去可能なペイントでマーキングされている。
【００２９】
眼鏡店では、オーダー内容と同一のレンズかどうか、まず、レンズ袋の表記（遠用度数、近用度数、加入度等）を確認する。次に、レンズ袋からレンズを取り出し、レンズの左右とレンズ商品名を確認する。次に、近用部測定領域マーク９の位置を水平目盛マーク６１と垂直目盛マーク６２より読み取り、近用部のインセット量と累進帯長を確認する。次に、レンズ１をレンズメータで度数測定する。レンズメータでは最初に、遠用度数をチェックする。レンズメータのアパーチャー部にレンズを載置して、本実施例の遠用部測定領域マーク７内の遠用度数測定位置にあわせる。そして、遠用度数を確認する。次に、加入度数をチェックする。
【００３０】
加入度数の測定は、レンズの仕様によって、レンズの凸面側にレンズメータの開口部を当てて測定する場合と、レンズの凹面側に当てて測定する場合がある。レンズの仕様に従ってレンズメータの開口部を当てる面を決め、レンズメータの開口部を近用部測定領域マーク９内の近用度数測定位置にあわせる。そして、近用側の度数を測定し、次に遠用部測定領域マーク７内の遠用部測定位置にあわせて遠用部側の度数を測定し両者の度数の差を求めて加入度数をチェックする。次いで、縁ずり加工を行い、縁ずりされた加工レンズを所定の眼鏡フレームに枠入れを行なう。フレームの装用のためのフィッティング調整を行ない、顧客に眼鏡をかけさせる。そして、光学的に正しくレイアウトして眼鏡として完成しているかどうか、遠用アイポイントと近用アイポイントとチェックする。遠用アイポイントは、装用者を無限遠方視させ、その瞳孔位置が、ドット７３の位置にあるかどうかを確認する。近用アイポイントは、装用者を近業目的距離で近方視させ、その視線が近用部測定領域マーク９の中心を通ることを確認する。そして、このチェックが終わった後、エーテルなどでペイントマークをふき取る。
【図面の簡単な説明】
【００３１】
【図１】本発明の実施の形態にかかる累進屈折力眼鏡レンズのレイアウトマークの一例を示した図である。
【図２】レイアウトマークの複合基準マークの詳細を示した図である。
【図３】レイアウトマークの近用部測定領域マークの詳細を示した図である。
【図４】水平目盛マークと垂直目盛マークの詳細を示した図である。
【図５】左眼用の累進屈折力眼鏡レンズのレイアウトマークの一例を示した図である。
【図６】従来のレイアウトマークを示した図である。
【符号の説明】
【００３２】
１  累進屈折力眼鏡レンズ
２  ドット（プリズム測定点位置）
３  水平基準線
４ａ、４ｂ  垂直基準線
６  遠用部
７  遠用部測定領域マーク
８  近用部
９  近用部測定領域マーク
３１  隠しマーク位置
６１  水平目盛マーク
６２  垂直目盛マーク
７３  ドット（遠用アイポイント）
９０  円形マーク
９１  水平基準線マーク
９２  垂直基準線マーク
Ｉｅ  遠用アイポイント
Ｉｋ  近用アイポイント
【図１】
2005338590.tif 000003
【図２】
2005338590.tif 000004
【図３】
2005338590.tif 000005
【図４】
2005338590.tif 000006
【図５】
2005338590.tif 000007
【図６】
2005338590.tif 000008